(57)【要約】【課題】映像や音声に情報を埋め込む電子透かし装置において、埋め込み前に、透かし情報や埋め込み処理に必要な設定値が改ざんされるという課題があった。【解決手段】情報検証部８０５は検証データ付き暗号化設定値８１１の検証データを用いて、暗号化された設定値を検証し、その検証結果を透かし情報埋め込み部８０２に伝達する。また情報検証部８０５は検証済みの暗号化された設定値を暗号解読部８０８に伝達する。暗号解読部８０８は暗号化された設定値を解読する。透かし情報埋め込み部８０２は、情報検証部８０５からの検証結果が正常な場合は、検証および解読済みの設定値を用いて、入力される映像音声データに透かし情報を埋め込んで出力する。検証結果が正常でない場合、透かし情報埋め込み部８０２は、入力される映像音声データを装置の外部へ出力しない。【選択図】　図９
2004111018.tif 000002
【特許請求の範囲】
【請求項１】
所定情報を入力し、該所定情報に透かし情報を埋め込む処理を行なう装置であって、
前記透かし情報の埋め込み処理に必要な設定値が暗号化された暗号化設定値に検証データを付加して得られる設定値情報を入力して検証する情報検証手段と、該情報検証手段による検証が済んだ暗号化設定値を解読する暗号解読手段と、前記情報検証手段による検証結果が正常を示す場合は、前記暗号解読手段で解読した設定値を用いて前記入力した所定情報に透かし情報を埋め込んで出力し、前記検証結果が正常を示さない場合は、前記入力した所定情報を装置の外部へ出力しない、または、前記入力した所定情報を無効化して出力する透かし情報埋め込み手段と
を備えたことを特徴とする電子透かし装置。
【請求項２】
所定情報を入力し、該所定情報に透かし情報を埋め込む処理を行なう装置であって、
前記透かし情報の埋め込み処理に必要な設定値に検証データを付加した検証データ付き設定値の少なくとも一部を暗号化して得られる設定値情報を入力して解読する暗号解読手段と、
該暗号解読手段により解読された検証データ付き設定値を検証する情報検証手段と、
該情報検証手段による検証結果が正常を示す場合は、検証済みの設定値を前記情報検証手段から取得し、その取得した設定値を用いて前記入力した所定情報に透かし情報を埋め込んで出力し、前記検証結果が正常を示さない場合は、前記入力した所定情報を装置の外部へ出力しない、又は、前記入力した所定情報を無効化して出力する、透かし情報埋め込み手段と
を備えたことを特徴とする電子透かし装置。
【請求項３】
情報検証手段は、公開鍵暗号を用いた電子署名によって検証することを特徴とする請求項１または請求項２に記載の電子透かし装置。
【請求項４】
所定情報が記録された記録媒体を再生する再生手段と、該再生手段で再生された所定情報を入力し、該所定情報に透かし情報を埋め込む、請求項１または請求項２記載の電子透かし装置とを備え、
前記再生手段は前記電子透かし装置の情報検証手段からの検証結果を入力し、該検証結果が正常である場合は前記再生手段の再生動作を行い、前記検証結果が正常でない場合は、前記再生手段の再生動作を実行しない、または、前記再生手段の再生出力を無効化する
ことを特徴とする応用装置。
【請求項５】
所定情報を通信媒体を介して受信し復号する受信復号手段と、
該受信復号手段で受信し復号された所定情報を入力し、該所定情報に透かし情報を埋め込む、請求項１または請求項２に記載の電子透かし装置とを備え、
前記受信復号手段は、前記電子透かし装置の情報検証手段からの検証結果を入力し、該検証結果が正常である場合は受信動作および復号動作を行い、該検証結果が正常でない場合は、前記受信動作及び復号動作の少なくとも一方を実行しない、または、前記受信復号手段の出力を無効化する
ことを特徴とする応用装置。
【請求項６】
請求項１または請求項２に記載の電子透かし装置と、前記電子透かし装置からの出力情報を入力し記録媒体に記録する記録手段とを備え、
前記記録手段は、前記電子透かし装置の情報検証手段からの検証結果を受け、該検証結果が正常である場合は、前記電子透かし装置からの出力情報の記録動作を行い、前記検証結果が正常でない場合は、記録動作を実行しない、または、前記電子透かし装置からの出力情報を無効化した後、記録する
ことを特徴とする応用装置。
【請求項７】
請求項１または請求項２に記載の電子透かし装置と、前記電子透かし装置からの出力情報を符号化し、通信媒体を介して送信する符号化送信手段とを備え、
前記符号化送信手段は、前記電子透かし装置の情報検証手段の検証結果を入力し、該検証結果が正常である場合は、前記符号化送信手段の符号化動作および送信動作を行い、該検証結果が正常でない場合は、前記符号化送信手段の符号化動作及び送信動作の少なくとも一方を実行しない、または、前記電子透かし装置からの出力情報を無効化してから符号化動作及び送信動作を行う
ことを特徴とする応用装置。
【発明の詳細な説明】
【０００１】
【発明の属する技術分野】
本発明は著作権保護に関連した情報を映像や音声等の所定の情報に埋め込む電子透かし装置及びその電子透かし装置を利用した応用装置に関する。
【０００２】
【従来の技術】
近年、ＤＶＤ（Ｄｉｇｉｔａｌ　Ｖｅｒｓａｔｉｌｅ　Ｄｉｓｃ）の普及は目覚しく、ＤＶＤを用いた再生装置は航空機や博物館にも導入が進められてきている。
【０００３】
特に航空機内用途においては、地上において封切前の映画が上映されることがあり、そういった封切前の映画等のコンテンツが外部に流出しないような、または、たとえ流出したとしてもその流出したコンテンツが何処から流出したものかを追跡できるような著作権保護を実現するシステムが要望される。
【０００４】
従来、著作権保護の方法として、映像や音声などのコンテンツに特定の情報を埋め込む「電子透かし」と呼ばれる技術がある（例えば、特許文献１参照）。
【０００５】
電子透かしとして埋め込む情報（以下では「透かし情報」と呼ぶ。）には、そのコンテンツのコピー回数を制限するコピー制御情報や、コンテンツのＩＤ、著作権保有者のＩＤなど、さまざまな情報がある。
【０００６】
これらの透かし情報は、そのほとんどが、コンテンツの著作権を保護する目的を有している。例えば、コピー制御情報をコンテンツに埋め込むことで、再生機器がコンテンツからコピー制御情報を検出し、コピー防止機能を作動させることでコピー行為を制限することができる。また、コンテンツのＩＤや著作権保有者のＩＤを埋め込むことで、万が一、違法なコピーが作成された場合でも、コンテンツから透かし情報を検出し、検出された数値や記号から著作権保有者を証明し、コンテンツの著作権を主張することができる。
【０００７】
このように透かし情報は、コンテンツの著作権を守るための情報であるため、透かし情報そのものに誤りが無いこと、すなわち、透かし情報として埋め込む数値や記号に誤りが無いことが重要である。
【０００８】
また、コンテンツから透かし情報が正しく検出されるためには、透かし情報を埋め込む装置が、所定の正しい演算方法や処理手順に従って、透かし情報を正確にコンテンツに埋め込むことが重要である。
【０００９】
コンテンツに埋め込まれた透かし情報の改ざんを防止する技術として、透かし情報を暗号した後にコンテンツに埋め込むという方法がある（特許文献２、３等参照）。
【００１０】
【特許文献１】
特許第３１０６９８５号
【特許文献２】
特開２００１−７８０１３号公報
【特許文献３】
特開２００２−２３２４１２号公報
【００１１】
【発明が解決しようとする課題】
一旦コンテンツに埋め込まれた透かし情報は、改ざんや除去が困難である。しかし、コンテンツに埋め込まれる前であれば、透かし情報を改ざんすることは比較的容易である。すなわち、従来の電子透かし装置では、コンテンツに透かし情報を埋め込む前の段階で、透かし情報そのものが改ざんされるという課題を有していた。
【００１２】
改ざんされた情報がコンテンツに埋め込まれた場合、例えば、そのコンテンツのコピー制御情報が、何度でもコピー可能な状態を示す数値や記号になったり、コンテンツのＩＤや著作権保有者のＩＤが本来の数値や記号と異なることで、著作権保有者を証明できなくなる等、著作権保有者の権利を著しく損なうことになる。
【００１３】
また、電子透かし装置は、透かし埋め込みの動作時に、埋め込み動作のモード指定値や、埋め込みの演算に用いる各種の定数や変数、比較値、テーブル値、符号データなど、埋め込み動作に必要な設定値を使用する場合が多い。電子透かし装置はこれらの設定値が正しく設定された状態ではじめてコンテンツに対して、所定の正しい演算方法や処理手順で透かし情報を埋め込むことができる。
【００１４】
このような埋め込み動作に必要な設定値についても、コンテンツに透かし情報を埋め込む際に、改ざんされる可能性がある。透かしの埋め込み動作に必要な設定値が改ざんされた場合、所定の正しい演算結果が得られず、例えば、コンテンツに対して埋め込まれる透かし情報の信号強度が弱くなり、透かし情報の除去が容易になったり、また電子透かしの検出側の装置が想定している方法や手順とは異なった埋め込みが行われ、コンテンツから透かし情報の検出ができなくなる等の悪影響がある。
【００１５】
本発明は、従来の電子透かし装置の課題に鑑み、透かし情報や、電子透かし装置の動作に必要な設定値を、改ざん行為から保護することで、正確な透かし情報を正確にコンテンツに埋め込むことを目的とする。
【００１６】
【課題を解決するための手段】
本発明に係る第１の電子透かし装置は、所定情報を入力し、所定情報に透かし情報を埋め込む処理を行なう装置であって、情報検証手段、暗号解読手段及び透かし情報埋め込み手段を備える。情報検証手段は、透かし情報の埋め込み処理に必要な設定値が暗号化された暗号化設定値に検証データを付加して得られる設定値情報を入力して検証する。暗号解読手段は、情報検証手段による検証が済んだ暗号化設定値を解読する。透かし情報埋め込み手段は、情報検証手段による検証結果が正常を示す場合は、暗号解読手段で解読した設定値を用いて入力した所定情報に透かし情報を埋め込んで出力する。一方、検証結果が正常を示さない場合は、透かし情報埋め込み手段は、入力した所定情報を装置の外部へ出力しない、または、入力した所定情報を無効化して出力する。
【００１７】
本発明に係る第２の電子透かし装置は、所定情報を入力し、所定情報に透かし情報を埋め込む処理を行なう装置であって、暗号解読手段、情報検証手段及び透かし情報埋め込み手段を備える。暗号解読手段は、透かし情報の埋め込み処理に必要な設定値に検証データを付加した検証データ付き設定値の少なくとも一部を暗号化して得られる設定値情報を入力して解読する。情報検証手段は、暗号解読手段により解読された検証データ付き設定値を検証する。透かし情報埋め込み手段は、情報検証手段による検証結果が正常を示す場合は、検証済みの設定値を情報検証手段から取得し、その取得した設定値を用いて入力した所定情報に透かし情報を埋め込んで出力する。一方、検証結果が正常を示さない場合、透かし情報埋め込み手段は、入力した所定情報を装置の外部へ出力しない、又は、入力した所定情報を無効化して出力する。
【００１８】
本発明に係る第１の応用装置は、所定情報が記録された記録媒体を再生する再生手段と、再生手段で再生された所定情報を入力し、所定情報に透かし情報を埋め込む、上記の電子透かし装置とを備える。再生手段は電子透かし装置の情報検証手段からの検証結果を入力し、検証結果が正常である場合は再生動作を行う。一方、検証結果が正常でない場合は、再生手段は再生動作を実行しない、または、再生出力を無効化する。
【００１９】
本発明に係る第２の応用装置は、所定情報を通信媒体を介して受信し復号する受信復号手段と、受信復号手段で受信し復号された所定情報を入力し、所定情報に透かし情報を埋め込む、上記の電子透かし装置とを備える。受信復号手段は、電子透かし装置の情報検証手段からの検証結果を入力し、検証結果が正常である場合は、受信動作および復号動作を行う。一方、検証結果が正常でない場合は、受信復号手段は、受信動作及び復号動作の少なくとも一方を実行しない、または、その出力を無効化する。
【００２０】
本発明に係る第３の応用装置は、上記の電子透かし装置と、電子透かし装置からの出力情報を入力し記録媒体に記録する記録手段とを備える。記録手段は、電子透かし装置の情報検証手段からの検証結果を受け、検証結果が正常である場合は、電子透かし装置からの出力情報の記録動作を行う。一方、検証結果が正常でない場合、記録手段は、記録動作を実行しない、または、電子透かし装置からの出力情報を無効化した後、記録する。
【００２１】
本発明に係る第４の応用装置は、上記の電子透かし装置と、電子透かし装置からの出力情報を符号化し、通信媒体を介して送信する符号化送信手段とを備える。符号化送信手段は、電子透かし装置の情報検証手段の検証結果を入力し、検証結果が正常である場合は、符号化送信手段の符号化動作および送信動作を行う。一方、検証結果が正常でない場合、符号化送信手段は、符号化送信手段の符号化動作及び送信動作の少なくともいずれかを実行しない、または、電子透かし装置からの出力情報を無効化した後、符号化動作及び送信動作を行なう。
【００２２】
【発明の実施の形態】
以下、添付の図面を参照し、本発明に係る電子透かし装置及びそれを用いた応用装置の実施形態について説明する。
【００２３】
（第１の実施形態）
図１は本発明に係る電子透かし装置の構成の一例を示した図である。電子透かし装置１５ａは映像、音声データに著作権保護のための電子透かし情報を埋め込む装置であり、透かし情報埋め込み部１０２と暗号解読部１０５を有する。
【００２４】
ここで、本実施形態及び後述の実施形態で説明する電子透かし装置を利用した再生装置を含むシステムの一例について説明する。
【００２５】
図２（ａ）にシステム構成の一例を示す。システムはディスク再生装置１０と表示装置５０を含む。ディスク再生装置１０はディスク媒体１を再生して映像や音声を出力するが、特に、著作権保護を実現する再生のために情報記録媒体５に記録された情報を必要とする。
【００２６】
情報記録媒体５は例えばＩＣカードで構成され、ディスク媒体１を再生するために必要な鍵情報や電子透かし埋め込み処理に必要な情報等を格納している。これらの情報は必要に応じて暗号化されたり、また、電子署名を付加された状態で格納されている。電子透かし埋め込み処理に必要な情報には、本発明の実施形態における、暗号化された透かし情報もしくは設定値、検証データが付された透かし情報もしくは設定値、検証データが付された暗号化された透かし情報もしくは設定値、又は、暗号化された検証データが付された透かし情報もしくは設定値が含まれる。
【００２７】
ディスク媒体１は映像情報や音声情報を格納している。ディスク再生装置１０はディスク媒体１の再生時に、情報記録媒体５に記録された情報を使用することから、情報記録媒体５が挿入されている必要がある。すなわち、ディスク再生装置１０は情報記録媒体５が挿入された状態でのみ、ディスク媒体１を再生することができる。
【００２８】
図２（ｂ）は、ディスク再生装置１０の構成を表した図である。ディスク再生装置１０は、ディスクドライブ１１、復号部１３、電子透かし装置１５及びＤ／Ａ変換部１７を備える。電子透かし装置１５は本明細書の実施の形態における電子透かし装置１５ａ〜１５ｈのいずれであってもよい。
【００２９】
ディスクドライブ１１はディスク媒体１に記録されたデータを読み出す。その読み出し信号は復号部１３で復号処理される。復号処理された信号は、電子透かし装置１５によって透かし情報が埋め込まれ、Ｄ／Ａ変換部１７でアナログ信号に変換されて映像出力となる。
【００３０】
電子透かし装置１５は、情報記録媒体５から透かし情報の埋め込み処理に必要な情報を読み込み、その情報を用いてディスク媒体１から再生した映像や音声信号に対して透かし情報を埋め込む処理を行う。
【００３１】
図１に戻り、本実施形態の電子透かし装置１５ａの詳細を説明する。電子透かし装置１５ａには暗号化された透かし情報１１１が入力される。入力された暗号化された透かし情報１１１は暗号解読部１０５で解読される。ここで、透かし情報には、映像音声データに関するコピー制御情報やＩＤ、著作権保有者のＩＤなど、さまざまな情報が含まれる。透かし情報はこれらの情報が数値や記号で表されたものである。暗号解読部１０５が暗号を解読するために用いる暗号鍵は、電子透かし装置１５ａが予め保有していても良いし、装置１５ａの外部から与えられても良い。
【００３２】
暗号解読部１０５で解読された透かし情報は、透かし情報埋め込み部１０２に伝達される。透かし情報埋め込み部１０２は映像音声データを入力し、その映像音声データ中に暗号解読部１０５で解読された透かし情報を埋め込み、出力する。透かし情報埋め込み部１０２で使用する透かし埋め込みの方法は、公知の電子透かし技術のいずれの方法を用いても良い。
【００３３】
以上のように、本実施形態では、映像音声データに埋め込む透かし情報が暗号化された状態で装置に入力される。暗号化された透かし情報は、数値や記号の表記を見ても意味が分からない暗号文であり、この暗号文が意図した値に復号されるように改ざんすることは困難である。従って、映像や音声にどのような透かし情報が埋め込まれるか、その値を装置の外部に対して秘匿でき、さらに、透かし情報を意図した値に改ざんする行為を防止できる。
【００３４】
なお、第１の実施形態では、暗号化された透かし情報を暗号解読部１０５で解読してから映像音声データに埋め込むように構成したが、別の構成として、暗号化された透かし情報を解読せずにそのまま映像や音声データに埋め込むようにしても良い。この場合、図１において、暗号解読部１０５が不要となり、暗号化された透かし情報が直接に透かし情報埋め込み部１０２に入力される構成となる。この構成では、透かし情報が暗号化されたままの状態で映像や音声データに埋め込まれるので、透かし情報を検出する側の装置に暗号解読手段を設けることで、検出した透かし情報を解読することができる。そして、透かし情報が暗号化されたままの状態で映像や音声データに埋め込まれるので、透かし情報の秘匿性がさらに高まる効果がある。
【００３５】
（第２の実施形態）
図３は本発明に係る電子透かし装置の第２の構成例を示した図である。電子透かし装置１５ｂは透かし情報埋め込み部２０２と暗号解読部２０５を有する。
【００３６】
本実施形態の電子透かし装置１５ｂには暗号化された設定値２１１が入力される。設定値とは、透かし情報埋め込み部２０２での透かし情報の埋め込み処理に必要な情報である。埋め込み動作に必要な設定値には例えば以下のものが含まれる。
−埋め込み動作をする／しないを選択する設定値
−透かし情報埋め込み部２０２が複数の埋め込み方法やモードを有する場合に、その１つを選択するモードの設定値
−埋め込みの演算に使用する定数や変数
−埋め込みの演算に使用する比較値やテーブル値
−埋め込みの処理に使用する符号データ
−埋め込みの信号強度の指定値
−映像や音声に対して透かしを埋め込む場所やタイミングの指定値
−その他、透かし情報埋め込み部２０２の動作に必要な種々の値
【００３７】
上記の暗号化された設定値２１１が電子透かし装置１５ｂに入力され、暗号解読部２０５によって解読される。暗号解読部２０５で解読された設定値は、透かし情報埋め込み部２０２に伝達される。透かし情報埋め込み部２０２は、映像音声データを入力し、その映像音声データに透かし情報を埋め込み、出力する。その際、暗号解読部２０５で解読された設定値を用いて、または、解読された設定値の値に従って埋め込み処理を実施する。
【００３８】
以上のように、本実施形態では、透かし情報埋め込み部２０２の動作に必要な設定値が、暗号化された状態で装置に入力される。暗号化された設定値は、数値や記号の表記を見ても意味が分からない暗号文であり、この暗号文が意図した値に復号されるように改ざんすることは困難である。従って、透かし情報埋め込み部２０２がどのような設定値を使用しているか、その値を装置の外部に対して秘匿でき、さらに、透かし情報埋め込み部の設定値を意図した値に改ざんする行為を防止できる。
【００３９】
（第３の実施形態）
図４は本発明に係る電子透かし装置の第３の構成例を示した図である。電子透かし装置１５ｃは透かし情報埋め込み部３０２と情報検証部３０５を有する。
【００４０】
本実施形態の電子透かし装置１５ｃには検証データ付き透かし情報３１１が入力される。検証データ付き透かし情報３１１は、透かし情報に、その情報の誤りを検出するための検証データを付加して得られる。
【００４１】
ここで、情報の誤りを検出するための手段としては、例えば、パリティ検査や、ＣＲＣ（Ｃｙｃｌｉｃ　Ｒｅｄｕｎｄａｎｃｙ　Ｃｈｅｃｋ）など、さまざまな誤り検出方法や誤り検出符号が一般に知られている。透かし情報の改ざんを防止するには、その誤り検出に用いる方法や演算式が類推されにくいものが良い。さらに改ざん行為に対する安全性を高めるために、透かし情報に付加する検証データとして、公開鍵暗号を用いた電子署名を付加しても良い。この場合は、署名の検証に必要な公開鍵を電子透かし装置１５ｃが事前に保有していても良いし、装置の外部から与えられても良い。また、これ以外の検証手段を用いても良い。
【００４２】
情報検証部３０５は所定の誤り検出機能や検証機能を搭載しており、入力した検証データ付き透かし情報３１１内の検証データを用いて透かし情報を検証する。情報検証部３０５は検証処理が完了すると、その検証結果（入力した透かし情報の誤りの有無を示す情報）を情報埋め込み部３０２に伝達する。
【００４３】
透かし情報埋め込み部３０２は、情報検証部３０５から伝達される検証結果を参照し、情報の誤りが無かった場合、検証済みの透かし情報を情報検証部３０５から取得し、その透かし情報を入力した映像音声データに埋め込み、装置１５ｃの外部へ出力する。
【００４４】
一方、情報検証部３０５からの検証結果が情報の誤りを示す場合、透かし情報埋め込み部３０２は、入力した映像音声データを装置１５ｃの外部へ出力しない。この時、透かし情報埋め込み部３０２は、映像音声データを装置の外部へ出力しない代わりに、映像音声データを視聴困難な程度に無効化して出力するか、ダミーデータを出力するようにしても良い。
【００４５】
このように、本実施形態では、映像音声データに埋め込まれる透かし情報が、検証データが付加された状態で装置に入力される。よって、入力される透かし情報を改ざんしても、検証データが付加されている為に、情報検証部において透かし情報の改ざん行為が情報の誤りとして検出される。情報の誤りが検出されると、透かし情報埋め込み部３０２は映像音声データを装置の外部へ出力しなくなるため、映像音声データの視聴ができなくなる。従って、透かし情報の改ざん行為を防止できる。
【００４６】
（第４の実施形態）
図５は本発明に係る電子透かし装置の第４の構成例を示した図である。電子透かし装置１５ｄは透かし情報埋め込み部４０２と情報検証部４０５を有する。
【００４７】
本実施形態の電子透かし装置１５ｄには検証データ付き設定値４１１が入力される。検証データ付き設定値４１１は、透かし情報埋め込み部４０２の埋め込み動作に必要な値である設定値に対して、設定値の誤りを検出するための検証データを付加して得られる。設定値、検証データについては、第２の実施形態、第３の実施形態のそれぞれで説明したものと同様である。
【００４８】
情報検証部４０５は検証データ付き設定値４１１内の検証データを用いて設定値を検証し、その結果を透かし情報埋め込み部４０２に伝達する。
【００４９】
透かし情報埋め込み部４０２は、情報検証部４０５から伝達される検証結果を参照し、情報の誤りが無かった場合は、検証済み設定値を情報検証部４０５から取得する。その後、透かし情報埋め込み部４０２は、入力される映像音声データに透かし情報を埋め込む。この時、透かし情報埋め込み部４０２は、検証済み設定値を用いて、又は、検証済み設定値の値に従って埋め込み動作を実施し、透かし情報が埋め込まれた映像音声データを外部へ出力する。
【００５０】
一方、情報検証部４０５から伝達される検証結果が情報の誤りがあることを示す場合、透かし情報埋め込み部４０２は、入力された映像音声データを装置の外部へ出力しないようにする。なお、透かし情報埋め込み部４０２は、映像音声データを装置の外部へ出力しない代わりに、映像音声データを視聴困難な程度に無効化して出力するか、又はダミーデータを出力するようにしても良い。
【００５１】
このように、本実施形態では、透かし情報埋め込み部４０２の動作に必要な設定値に検証データが付加された状態で装置に入力される。これにより、設定値を改ざんしても、検証データが付加されている為に、情報検証部において設定値の改ざん行為が情報の誤りとして検出される。情報の誤りが検出されると、透かし情報埋め込み部は映像音声データを装置の外部へ出力しなくなるため、映像音声データの視聴ができなくなる。従って、透かし情報埋め込み部の動作に必要な設定値を改ざんする行為を防止できる。
【００５２】
（第５の実施形態）
図６は本発明に係る電子透かし装置の第５の構成例を示した図である。電子透かし装置１５ｅは透かし情報埋め込み部５０２、情報検証部５０５及び暗号解読部５０８を有する。
【００５３】
本実施形態の電子透かし装置１５ｅには暗号化検証データ付き透かし情報５１１が入力される。暗号化検証データ付き透かし情報５１１は、透かし情報に、その透かし情報に関する検証データを付加し、その後、検証データと透かし情報を含む情報の全体又は一部を暗号化して生成したデータである。ここで、検証データとは、透かし情報の誤りを検出するために付加したデータのことであり、第３の実施形態で説明した検証データと同様である。
【００５４】
暗号解読部５０８は、暗号化検証データ付き透かし情報５１１を解読し、解読済み検証データ付き透かし情報を情報検証部５０５に伝達する。ここで、解読済み検証データ付き透かし情報とは、暗号化検証データ付き透かし情報５１０の暗号が解読された状態のデータであり、透かし情報と検証データを含んでいる。
【００５５】
情報検証部５０５は解読済み検証データ付き透かし情報を検証し、その検証結果を透かし情報埋め込み部５０２に伝達する。
【００５６】
透かし情報埋め込み部５０２は、情報検証部５０５から伝達される検証結果を参照し、情報の誤りが無かった場合は、情報検証部５０５から検証済みの透かし情報を取得する。その後、透かし情報埋め込み部５０２は、入力した映像音声データに取得した透かし情報を埋め込み、透かし情報が埋め込まれた映像音声データを外部へ出力する。
【００５７】
一方、情報検証部５０５から伝達される検証結果が情報の誤りがあることを示す場合、透かし情報埋め込み部５０２は、入力した映像音声データを装置１５ｅの外部へ出力しない。なお、透かし情報埋め込み部５０２は、映像音声データを装置の外部へ出力しない代わりに、映像音声データを視聴困難な程度に無効化して出力するか、ダミーデータを出力するようにしても良い。
【００５８】
このように、本実施形態では、映像音声データに埋め込む透かし情報に検証データが付加され、さらにその少なくとも一部が暗号化された状態で装置に入力される。それにより、暗号化された情報は、数値や記号の表記を見ても意味が分からないため、どのような数値や記号が透かし情報として埋め込まれるか、装置の外部に対して秘匿することが可能になる。さらに、暗号文が意図した値に復号されるように改ざんすることも困難である。また、この暗号文を適当な数値や記号に改ざんしても、検証データが付加されている為に、情報検証部において透かし情報の改ざん行為が情報の誤りとして検出される。情報の誤りが検出されると、透かし情報埋め込み部は映像音声データを装置の外部へ出力しなくなるため、映像音声データの視聴ができなくなる。以上のことから、装置外部に対して透かし情報を秘匿し、さらに、情報検証部と透かし情報埋め込み部との組合せによって、透かし情報を適当な数値に改ざんする行為も防止できる。
【００５９】
（第６の実施形態）
図７は本発明に係る電子透かし装置の第６の構成例を示した図である。電子透かし装置１５ｆは透かし情報埋め込み部６０２、情報検証部６０５及び暗号解読部６０８を有する。
【００６０】
本実施形態の電子透かし装置１５ｆには暗号化検証データ付き設定値６１１が入力される。暗号化検証データ付き設定値６１１は、まず、設定値に検証データを付加し、設定値と検証データを合わせたデータの全体又は一部を暗号化して生成される。検証データ及び設定値は第３の実施形態及び第２の実施形態でそれぞれで説明したとおりである。
【００６１】
暗号解読部６０８は、暗号化検証データ付き設定値６１１を解読し、それによって得られる、解読済み検証データ付き設定値を情報検証部６０５に伝達する。解読済み検証データ付き設定値とは、暗号化検証データ付き設定値６１１の暗号が解読された状態のデータであり、暗号解読後の設定値と検証データを含む。
【００６２】
情報検証部６０５は、解読後の設定値に対する誤りの有無を検証データを用いて検証し、その検証結果を透かし情報埋め込み部６０２に伝達する。
【００６３】
透かし情報埋め込み部６０２は、情報検証部６０５から伝達された検証結果を参照し、設定値に情報の誤りが無かった場合は、検証済み設定値を情報検証部６０５から取得する。その後、透かし情報埋め込み部６０２は、入力した映像音声データに透かし情報を埋め込む。この時、透かし情報埋め込み部６０２は、検証済み設定値を用いて、又は、検証済み設定値の値に従って埋め込み動作を実施し、透かし情報が埋め込まれた映像音声データを装置の外部へ出力する。
【００６４】
一方、情報検証部６０５から伝達される検証結果が情報の誤りがあることを示す場合、透かし情報埋め込み部６０２は、入力した映像音声データを装置の外部へ出力しない。なお、透かし情報埋め込み部６０２は、映像音声データを装置の外部へ出力しない代わりに、映像音声データを視聴困難な程度に無効化して出力するか、ダミーデータを出力するようにしても良い。
【００６５】
このように、本実施形態では、透かし情報埋め込み部６０２の動作に必要な設定値に検証データが付加され、さらにその一部または全体が暗号化された状態で装置に入力される。これにより、暗号化された情報は数値や記号の表記を見ても意味が分からないため、どのような設定値を用いて透かし情報埋め込み部が動作しているか、装置の外部に対して秘匿することが可能になる。さらに、暗号文が意図した値に復号されるように改ざんすることも困難であるため、設定値を意図した値に改ざんすることを防止する。また、この暗号文を適当な数値や記号に改ざんしても、検証データが付加されている為に、情報検証部において設定値の改ざん行為が情報の誤りとして検出される。情報の誤りが検出されると、透かし情報埋め込み部は映像音声データを装置の外部へ出力しなくなるため、映像音声データの視聴ができなくなる。以上のことから、装置外部に対して設定値を秘匿し、さらに、情報検証部と透かし情報埋め込み部との組合せによって、設定値を適当な数値に改ざんする行為も防止できる。
【００６６】
（第７の実施形態）
図８は本発明に係る電子透かし装置の第７の構成例を示した図である。電子透かし装置１５ｇは透かし情報埋め込み部７０２、情報検証部７０５及び暗号解読部７０８を有する。
【００６７】
本実施形態の電子透かし装置１５ｇには検証データ付き暗号化透かし情報７１１が入力される。検証データ付き暗号化透かし情報７１１は、暗号化された透かし情報に検証データを付加して生成されたものである。検証データとは、暗号化された透かし情報の誤りを検出するために付加したデータのことであり、第３の実施形態で説明した検証データと同様である。
【００６８】
情報検証部７０５は検証データ付き暗号化透かし情報７１１に含まれる検証データを用いて暗号化された透かし情報を検証し、その検証結果を透かし情報埋め込み部７０２に伝達する。
情報検証部７０５はまた暗号化された透かし情報を暗号解読部７０８に伝達する。暗号解読部７０８は情報検証部７０５からの暗号化された透かし情報を解読する。
【００６９】
透かし情報埋め込み部７０２は情報検証部７０５から伝達される検証結果を参照し、透かし情報に誤りが無かった場合は、解読済みの透かし情報を暗号解読部７０８から取得する。
【００７０】
以上のように透かし情報埋め込み部７０２が、解読済みの透かし情報を暗号解読部７０８での処理を経て取得する処理を、検証結果が情報の誤りが無いことを示す場合にのみ実施することにより、無駄な処理が低減されて好ましい。その理由は、検証結果が情報の誤りがあることを示す場合は、検証済みの暗号化透かし情報や解読済みの透かし情報に、情報の誤りが発生している可能性があり、透かし情報として使用されないため、暗号解読部７０８での解読処理が無駄になるからである。なお、検証結果に関係なく、常に透かし情報埋め込み部７０２が、解読済み透かし情報を暗号解読部７０８の処理を経て取得するようにしてもよい。
【００７１】
透かし情報埋め込み部７０２は、情報検証部７０５から伝達される検証結果を参照し、情報の誤りが無い場合は、入力した映像音声データに解読済みの透かし情報を埋め込んで、透かし情報が埋め込まれた映像音声データを装置の外部へ出力する。
【００７２】
一方、情報検証部７０５から伝達される検証結果が情報の誤りがあったことを示す場合、透かし情報埋め込み部７０２は、入力した映像音声データを装置の外部へ出力しない。なお、透かし情報埋め込み部７０２は、映像音声データを装置の外部へ出力しない代わりに、映像音声データを視聴困難な程度に無効化して出力するか、ダミーデータを出力するようにしても良い。
【００７３】
このように、本実施形態では、映像音声データに埋め込む透かし情報が暗号化され、さらに検証データが付加された状態で装置に入力される。これにより、暗号化された情報は、数値や記号の表記を見ても意味が分からないため、どのような数値や記号が透かし情報として埋め込まれるか、装置の外部に対して秘匿することが可能になる。さらに、暗号文が意図した値に復号されるように改ざんすることも困難である。また、この暗号文を適当な数値や記号に改ざんしても、検証データが付加されている為に、情報検証部において透かし情報の改ざん行為が情報の誤りとして検出される。情報の誤りが検出されると、透かし情報埋め込み部は映像音声データを装置の外部へ出力しなくなるため、映像音声データの視聴ができなくなる。また、暗号解読部よりも先に情報検証部の処理を行うことで、透かし情報の改ざんをいち早く検出できる。
【００７４】
以上のことから、装置外部に対して透かし情報を秘匿し、さらに、情報検証部と透かし情報埋め込み部との組合せによって、透かし情報を適当な数値に改ざんする行為も防止し、透かし情報の改ざんの短時間での検出が可能となる。
【００７５】
なお、本実施形態では、情報検証部７０５からの検証済みの暗号化透かし情報を暗号解読部７０８で解読してから映像音声データに埋め込むように構成したが、別の構成として、検証済みの暗号化透かし情報を解読せずにそのまま映像や音声に埋め込むように構成しても良い。この場合、図８において、暗号解読部７０８が不要となり、情報検証部７０５からの検証済みの暗号化透かし情報が、そのまま透かし情報埋め込み部７０２に入力される構成となる。この構成では、透かし情報が暗号化されたままの状態で映像や音声に埋め込まれるので、透かし情報を検出する側の装置に暗号解読手段を設けることで、検出した透かし情報を解読することができる。そして、透かし情報が暗号化されたままの状態で映像や音声に埋め込まれるので、さらに透かし情報の秘匿性が高めることができる。
【００７６】
（第８の実施形態）
図９は本発明に係る電子透かし装置の第８の構成例を示した図である。電子透かし装置１５ｈは透かし情報埋め込み部８０２、情報検証部８０５及び暗号解読部８０８を有する。
【００７７】
本実施形態の電子透かし装置１５ｈには、検証データ付き暗号化設定値８１１が入力される。検証データ付き暗号化設定値８１１は、設定値を暗号化し、その暗号化した設定値に検証データを付加したものである。ここで、検証データ及び設定値は第３の実施形態及び第２の実施形態でそれぞれ説明したものと同様である。
【００７８】
情報検証部８０５は検証データ付き暗号化設定値８１１に含まれる検証データを用いて、暗号化された設定値を検証し、その検証結果を透かし情報埋め込み部８０２に伝達する。情報検証部８０５は検証済みの暗号化された設定値を暗号解読部８０８に伝達する。暗号解読部８０８は暗号化された設定値を解読する。
【００７９】
透かし情報埋め込み部８０２は、情報検証部８０５からの検証結果を参照し、情報の誤りが無かった場合に、解読済みの設定値を暗号解読部８０８から取得する。
【００８０】
以上のように透かし情報埋め込み部８０２が、検証結果に基き、情報の誤りが無かった場合にのみ解読済みの設定値を暗号解読部８０８での処理を経て獲得する処理を実施することにより無駄な処理が少なくなり、好ましい。
【００８１】
その理由は、検証結果に情報の誤りがあった場合、検証済みの暗号化された設定値や解読済みの設定値に情報の誤りが発生している可能性があり、設定値として使用できないため、暗号解読部８０８での解読処理が無駄になるからである。なお、透かし情報埋め込み部８０２が、検証結果に関係なく、暗号解読部８０８での処理を経た解読済みの設定値を取得するようにしても良い。
【００８２】
透かし情報埋め込み部８０２は、情報検証部８０５から伝達される検証結果が情報の誤り無しを示す場合、入力した映像音声データに透かし情報を埋め込む。この時、透かし情報埋め込み部８０２は、解読済みの設定値を用いて、又は、解読済みの設定値の値に従って埋め込み動作を実施し、透かし情報が埋め込まれた映像音声データを装置の外部へ出力する。
【００８３】
一方、情報検証部８０５から伝達される検証結果が情報の誤り有りを示す場合、透かし情報埋め込み部８０２は、透かし情報埋め込み部８０２に入力される映像音声データを装置の外部へ出力を禁止する。なお、透かし情報埋め込み部８０２は、映像音声データを装置の外部へ出力しない代わりに、映像音声データを視聴困難な程度に無効化して出力するか、ダミーデータを出力するようにしても良い。
【００８４】
このように、本実施形態では、透かし情報埋め込み部の動作に必要な設定値が暗号化され、さらに検証データが付加された状態で装置に入力される。これにより、暗号化された情報は数値や記号の表記を見ても意味が分からないため、どのような設定値を用いて透かし情報埋め込み部が動作しているか、装置の外部に対して秘匿することが可能になる。さらに、暗号文が意図した値に復号されるように改ざんすることも困難であるため、設定値を意図した値に改ざんすることを防止する。また、この暗号文を適当な数値や記号に改ざんしても、検証データが付加されている為に、情報検証部において設定値の改ざん行為が情報の誤りとして検出される。情報の誤りが検出されると、透かし情報埋め込み部は映像音声データを装置の外部へ出力しなくなるため、映像音声データの視聴ができなくなる。また、暗号解読部よりも先に情報検証部の処理を行うことで、設定値の改ざんをいち早く検出できる。
【００８５】
以上のことから、装置外部に対して設定値を秘匿し、さらに、情報検証部と透かし情報埋め込み部との組合せによって、設定値を適当な数値に改ざんする行為も防止し、設定値の改ざんを短時間で検出することが可能となる。
【００８６】
（第９の実施形態）
図１０に、上記の電子透かし装置を利用した応用機器の１つである情報再生装置の構成を示す。情報再生装置１０ａはデータ再生装置９０９と電子透かし装置９０１とを含む。電子透かし装置９０１は実施の形態３で説明した電子透かし装置１５ｃと基本的に同様の構成を有するが、情報検証部９０５からの検証結果を装置外部へ出力するように構成している点が異なる。すなわち、情報検証部９０５からの検証結果はデータ再生装置９０９に伝達される。
【００８７】
データ再生装置９０９はテープ、ディスク、メモリーカード等の映像や音声が記録された記録媒体１ａを再生し出力する装置である。データ再生装置９０９が出力する映像音声データは、電子透かし装置９０１に伝達される。情報検証部９０５には検証データ付き透かし情報が入力される。ここで検証データとは、第３の実施形態で説明したとおりである。情報検証部９０５は入力した検証データ付き透かし情報を検証し、その検証結果をデータ再生装置９０９に伝達する。
【００８８】
データ再生装置９０９は電子透かし装置９０１から伝達される検証結果を参照し、情報の誤りが無かった場合は、記録媒体１ａの再生動作を実行する。これによって、データ再生装置９０９からは映像音声データが出力され、電子透かし装置９０１の透かし情報埋め込み部９０２に伝達される。透かし情報埋め込み部９０２は、情報検証部９０５から取得した検証済みの透かし情報を映像音声データに埋み、透かし情報が埋め込まれた映像音声データを装置の外部へ出力する。
【００８９】
一方、データ再生装置９０９は、電子透かし装置９０１からの検証結果を参照し、情報の誤りがあった場合は、記録媒体１ａからの再生動作を実行しない。なお、データ再生装置９０９は、記録媒体１ａの再生動作を実行しない代わりに、映像音声データを視聴困難な程度に無効化して出力するか、ダミーデータを出力するようにしても良い。この場合、透かし情報埋め込み部９０２は、正常な映像音声データが得られないので、透かし情報の埋め込み処理を実施してもしなくとも良い。結果として、情報再生装置１０ａからは、映像音声データが出力されないか、又は、無効な映像音声データが出力されることになる。
【００９０】
なお、上記の説明では、電子透かし装置９０１として、第３の実施形態で説明した電子透かし装置を変形して用いた例を説明したが、電子透かし装置９０１の構成はこれに限定されない。すなわち、第４から第８までの実施形態で示した情報検証部を有する電子透かし装置において、情報検証部による検証結果を電子透かし装置９０１の外部へ出力できるように構成を変更することで、本実施形態の電子透かし装置９０１として利用できる。これによって透かし情報の検証だけでなく、設定値の検証も可能になる。
【００９１】
このように、本実施形態では、電子透かし装置が有する情報検証部が、透かし情報や設定値の検証を行うことで、これらの情報の改ざんを検出し、さらに検証結果を再生装置に伝達することで、再生装置が映像音声データの再生を実施しない。これにより、改ざんを行うと単に映像や音声が視聴不可になるだけでなく、映像音声データの出力源が停止することで、装置内部に映像音声データが信号として存在しなくなるため、映像音声信号の横取りなどを防止し、安全で確実な保護手段が実現できる。以上のことから、透かし情報や設定値の改ざんを防止し、安全なシステム構成を提供できる。
【００９２】
（第１０の実施形態）
図１１に、上記の電子透かし装置を利用した応用機器の１つである情報記録装置の構成を示す。情報記録装置３０は電子透かし装置Ａ０１とデータ記録装置Ａ０９とを含む。
【００９３】
電子透かし装置Ａ０１は、第３の実施形態で説明した電子透かし装置１５ｃと基本的な構成は同じであるが、情報検証部Ａ０５からの検証結果を装置外部へ出力できるように構成した点が異なる。データ記録装置Ａ０９はテープ、ディスク、メモリーカードなどの記録媒体に映像や音声を記録する装置である。
【００９４】
情報検証部Ａ０５からの検証結果がデータ記録装置Ａ０９に伝達される。また、透かし情報が埋め込まれた映像音声データは、記録装置Ａ０９に伝達される。情報検証部Ａ０５には、検証データ付き透かし情報が入力される。ここで検証データとは、透かし情報の誤りを検出するために付加したデータのことであり、第３の実施形態で説明した検証データと同様である。
【００９５】
透かし情報埋め込み部Ａ０２は、情報検証部Ａ０５から検証済みの透かし情報を取得し、その透かし情報を情報記録装置３０に入力された映像音声データに埋め込む。
【００９６】
情報検証部Ａ０５は透かし情報を検証し、その検証結果を記録装置Ａ０９に伝達する。
【００９７】
データ記録装置Ａ０９は、電子透かし装置Ａ０１から伝達される検証結果を参照し、情報の誤りが無かった場合、記録動作を実行する。これによって、透かし情報が埋め込まれた映像音声データがデータ記録装置Ａ０９で記録される。
【００９８】
一方、情報の誤りがあった場合、データ記録装置Ａ０９は記録動作を実行しない。なお、データ記録装置Ａ０９は記録動作を実行しない代わりに、電子透かし装置Ａ０１から伝達された映像音声データを視聴困難な程度に無効化してから記録するか、又は、ダミーデータを記録するようにしても良い。この時、透かし情報埋め込み部Ａ０２は、正常な映像音声データが記録されないので、透かし情報の埋め込み処理を実施してもしなくとも良い。
【００９９】
上記の説明では、電子透かし装置Ａ０１として、第３の実施形態で説明した電子透かし装置を変形して用いた例を説明したが、電子透かし装置Ａ０１の構成はこれに限定されない。すなわち、第４から第８までの実施形態で示した情報検証部を有する電子透かし装置において、情報検証部による検証結果を電子透かし装置Ａ０１の外部へ出力できるように構成を変更することで、本実施形態の電子透かし装置Ａ０１として利用できる。これによって透かし情報の検証だけでなく、設定値の検証も可能になる。
【０１００】
このように、本実施形態では、電子透かし装置が有する情報検証部が、透かし情報や設定値の検証を行うことで、これらの情報の改ざんを検出し、さらに検証結果を記録装置に伝達することで、記録装置そのものが、映像音声データの記録を実施しないという特徴があり、これによって透かし情報や設定値の改ざんを防止できる。
【０１０１】
（第１１の実施形態）
第９の実施形態においては電子透かし装置の情報再生装置への応用例を説明したが、本実施形態では電子透かし装置の情報受信装置への応用例を説明する。図１２に示すように、情報受信装置３５は、符号化された映像や音声を電波や回線を介して受信し復号して出力する受信復号装置Ｂ０９と、電子透かし装置９０１とを含む。電子透かし装置９０１の構成、動作は第１０の実施の形態で説明したものと同じである。
【０１０２】
すなわち、受信復号装置Ｂ０９は電子透かし装置９０１からの検証結果を参照し、透かし情報や設定値の情報の誤りがあった場合は、受信動作及び／又は復号動作を実行せず、誤りがない場合にのみ、受信動作及び復号動作を実行し、電子透かし装置９０１に受信し復号した映像、音声情報を出力する。電子透かし装置９０１は受信復号装置Ｂ０９からの出力情報に電子透かしを埋め込んで出力する。
【０１０３】
なお、受信復号装置Ｂ０９は受信動作及び／又は復号動作を実行しない代わりに、映像音声データを視聴困難な程度に無効化して出力するか、ダミーデータを出力するようにしてもよい。また、電子透かし装置９０１として、情報検証部を有する他の電子透かし装置が利用可能であることは第１０の実施形態で述べたとおりである。
【０１０４】
以上のように本情報受信装置によれば、透かし情報や設定値の改ざんを検出でき、改ざんが検出された場合には受信した情報を正しく伝達しないので、不正行為を防止できる。
【０１０５】
（第１２の実施形態）
第１０の実施形態においては電子透かし装置の情報記録装置への応用例を説明したが、本実施形態では電子透かし装置の情報送信装置への応用例を説明する。図１３に示すように、情報送信装置４０は電子透かし装置Ａ０１と符号化送信装置Ｃ０９を含む。符号化送信装置Ｃ０９は映像または音声を符号化し電波や回線を介して送信する装置である。電子透かし装置Ａ０１の構成、動作は第１１の実施の形態で説明したものと同じである。
【０１０６】
符号化送信装置Ｃ０９は電子透かし装置Ａ０１からの検証結果を参照し、透かし情報や設定値の情報の誤りがあった場合に、符号化動作及び／又は送信動作を実行せず、誤りがない場合にのみ符号化動作及び送信動作を実行する。
【０１０７】
なお、符号化送信装置Ｃ０９は符号化動作及び／又は送信動作を実行しない代わりに、映像音声データを視聴困難な程度に無効化してから符号化する、又は、無効化してから送信するか、ダミーデータを符号化する、もしくはダミーデータを送信するようにしてもよい。また、電子透かし装置Ａ０１として、情報検証部を有する他の電子透かし装置が利用可能であることは第１１の実施形態で述べたとおりである。
【０１０８】
以上のように本情報送信装置によれば、透かし情報や設定値の改ざんを検出でき、改ざんが検出された場合には正しい情報が送信されないので、不正行為を防止できる。
【０１０９】
なお、以上説明した本発明の各実施形態において、透かし情報は予めＩＣカード等の、コンテンツ格納媒体とは別の媒体に格納された情報を使う例で説明したが、これに限らず、透かし情報はコンテンツ格納媒体（例えばテープやディスク、メモリカード媒体）に格納された各種の情報や、装置が有する種々の情報を使用しても良い。コンテンツ格納媒体に格納された情報の例としては、その媒体の媒体ＩＤや、コンテンツのＩＤ、著作権保有者のＩＤなどがある。また、装置が有する情報の例としては、装置のＩＤ、装置のタイマーが有する日時情報、装置の使用者のＩＤなどがある。これらの情報を本発明の各実施形態で示した方法で保護しつつ透かし情報として埋め込むことで、例えば違法コピーされた映像や音声から、上記の情報が透かし情報として検出されるため、違法コピーの出所を追跡する手掛かりとなる。
【０１１０】
また、本発明の各実施形態では、透かし情報や設定値を例えばＩＣカード等の媒体から読み出して使用する例で説明したが、これに限らず、装置をネットワークに接続し、透かし情報として使用する各種のＩＤや、透かしの埋め込み処理に必要な設定値を、ネットワーク経由でサーバからダウンロードして使用しても良い。これらの情報をネットワーク経由でダウンロードして使用する際においても、本発明の各実施形態で示した方法を用いて、透かし情報や設定値を保護しつつ使用することで同様の効果が得られる。
【０１１１】
以上説明した本発明の各実施形態の装置をハードウェアで実現しても良いが、その一部または全体の処理をコンピュータのソフトウェアで実施することもできる。また、上記の各実施形態では透かし情報を付加する情報として映像または音声情報を用いたが、他の種類の情報であってもよい。
【０１１２】
【発明の効果】
本発明によれば、電子透かし装置や、電子透かし装置を用いた応用装置において、透かし情報や、透かし情報の埋め込み動作に必要な設定値が、装置外部に対して秘匿されるため、透かし情報の改ざんを防止できる。また、埋め込み前に透かし情報や設定値の改ざんの検出ができ、改ざん検出時に映像や音声出力を停止または無効化することにより、映像や音声を視聴できなくでき、不正行為を防止できる。
【図面の簡単な説明】
【図１】本発明に係る第１の実施形態の電子透かし装置のブロック図
【図２】本発明に係る電子透かし装置を利用した再生装置を含むシステム構成例を示す図
【図３】本発明に係る第２の実施形態の電子透かし装置のブロック図
【図４】本発明に係る第３の実施形態の電子透かし装置のブロック図
【図５】本発明に係る第４の実施形態の電子透かし装置のブロック図
【図６】本発明に係る第５の実施形態の電子透かし装置のブロック図
【図７】本発明に係る第６の実施形態の電子透かし装置のブロック図
【図８】本発明に係る第７の実施形態の電子透かし装置のブロック図
【図９】本発明に係る第８の実施形態の電子透かし装置のブロック図
【図１０】本発明に係る電子透かし装置を利用した情報再生装置の構成を示す図
【図１１】本発明に係る電子透かし装置を利用した情報記録装置の構成を示す図
【図１２】本発明に係る電子透かし装置を利用した情報受信装置の構成を示す図
【図１３】本発明に係る電子透かし装置を利用した情報送信装置の構成を示す図
【符号の説明】
５　情報記録媒体
１０　ディスク再生装置
１０ａ　情報再生装置
１５、１５ａ〜１５ｈ　電子透かし装置
３０　情報記録装置
３５　情報受信装置
４０　情報送信装置
５０　表示装置
１０２、２０２、３０２、４０２、６０２、７０２、８０２　透かし情報埋め込み部
１０５、２０５、５０８、６０８、７０８、８０８　暗号解読部
３０５、４０５、５０５、６０５、７０５、８０５　情報検証部
【図１】
2004111018.tif 000003
【図２】
2004111018.tif 000004
【図３】
2004111018.tif 000005
【図４】
2004111018.tif 000006
【図５】
2004111018.tif 000007
【図６】
2004111018.tif 000008
【図７】
2004111018.tif 000009
【図８】
2004111018.tif 000010
【図９】
2004111018.tif 000011
【図１０】
2004111018.tif 000012
【図１１】
2004111018.tif 000013
【図１２】
2004111018.tif 000014
【図１３】
2004111018.tif 000015